(57)【要約】【課題】  複数の類似形状の組立体を組み立てる際に有効に利用することができ、治具製作費を格段に低減させることができる組立治具と、この組立治具を用いた翼前縁部組立方法と、を提供する。【解決手段】  外板Ｓと複数のリブＲとを有する翼前縁部を組み立てるための翼前縁部組立治具１において、所定の軸方向に略直線状に延在する基台１０と、各リブＲを保持するリブ保持部３０と、リブＲの位置決め及び固定を行うための位置決め固定手段と、を備える。各リブ保持部３０は、前記軸方向に沿って移動するように基台１０に取り付けられた架台３１と、上下方向に移動するように架台３１に取り付けられた面板３２と、面板３２の面に沿って移動自在とされるとともに面板３２に固定された複数の連結部材３３と、を有する。【選択図】        図１
2005153094.tif 000002
【特許請求の範囲】
【請求項１】
湾曲した外板を複数のリブで補強してなる組立体を組み立てるための組立治具において、
所定の軸方向に直線状に延在する基台と、
前記基台上に前記軸方向に沿って複数配置されて前記各リブを保持するリブ保持部と、
前記リブ保持部に前記リブを位置決めして固定する位置決め固定手段と、を備え、
前記各リブ保持部は、
前記軸方向に沿って移動するように前記基台に取り付けられた架台と、
前記軸方向に対して直角に配置され上下方向に移動するように前記架台に取り付けられた複数の面板と、
前記面板の面に沿って移動自在とされるとともに前記面板に固定された複数の連結部材と、を有することを特徴とする組立治具。
【請求項２】
前記位置決め固定手段は、
前記軸方向に平行でかつ上下に広がる基準面から所定寸法離隔した位置に配置されるように前記各面板に穿設されたリブ位置決め孔と、
前記リブの固定を行うために前記連結部材に穿設されたリブ固定孔と、
前記リブ位置決め孔と前記リブに穿設された位置決め用の孔とに挿入されることにより前記リブの位置決めを行うリブ位置決めピンと、
前記リブ固定孔と前記リブに穿設された固定用の孔とに挿入されることにより前記リブの固定を行うリブ固定ピンと、
を有することを特徴とする請求項１に記載の組立治具。
【請求項３】
請求項２に記載の組立治具を用いて、外板と複数のリブとを有する翼前縁部を組み立てる方法であって、
前記各リブに、前記リブ位置決めピンが挿入される位置決め用の孔と、前記リブ固定ピンが挿入される固定用の孔と、を穿設する孔穿設工程と、
組立予定の翼前縁部の形状に合わせて、前記各リブ保持部において、前記架台の前記軸方向位置と前記面板の上下方向位置と前記連結部材の移動量とを調整するリブ保持部調整工程と、
前記リブ保持部の前記面板上に前記リブを載置し、前記リブの前記位置決め用の孔と、前記面板の前記リブ位置決め孔と、を重ねて前記リブ位置決めピンを挿入することにより前記面板に対する前記リブの位置決めを行うリブ位置決め工程と、
前記リブの前記固定用の孔と、前記連結部材の前記リブ固定孔と、を重ねて前記リブ固定ピンを挿入することにより前記リブの固定を行うリブ固定工程と、
前記リブ保持部に固定された前記各リブに前記外板を固定することにより前記翼前縁部を組み立てる組立工程と、
を備えることを特徴とする翼前縁部組立方法。
【請求項４】
前記孔穿設工程で前記各リブに穿設される前記位置決め用の孔を、前記各リブに共通の仮想基準面から一定寸法離隔した位置に配置することを特徴とする請求項３に記載の翼前縁部組立方法。
【発明の詳細な説明】
【技術分野】
【０００１】
本発明は、組立治具及び翼前縁部組立方法に関する。
【背景技術】
【０００２】
現在、複数の部品から構成される組立体（例えば外板とリブとを有する航空機の垂直尾翼前縁部）を組み立てる際に、各部品を所望の位置に保持するための組立治具が使用されている。従来は、組立体の種類が少ない場合に、部品の誤用を回避するために組立治具を共用せずに、組立体の種類毎に専用の組立治具を製作して使用に供していた。
【０００３】
しかし、組立体の種類が多い場合には、多くの組立治具を製作する必要があるため治具製作費が嵩む上に、多くの組立治具を保管するために広いスペースを確保する必要が生じていた。また、同時期に異なる組立体を組み立てる場合においては、多くの組立治具を一挙に配置するための広い作業面積を確保する必要があった。
【０００４】
このような問題を解決するために、部品の一部を挟圧して保持する挟圧保持機構と、この挟圧保持機構を移動させて所定の位置に位置決めする位置決め機構と、を有する保持位置決め機構と、この保持位置決め機構を自動的に制御する制御装置と、を備える組立治具装置が提案されている（例えば、特許文献１参照。）。かかる組立治具装置を採用すると、一の装置で多種類の組立体の組立を行うことが可能となる。
【特許文献１】特開２００１−３００８２３号公報（第２頁、第４図）
【発明の開示】
【発明が解決しようとする課題】
【０００５】
しかし、前記した組立治具装置は、航空機の垂直尾翼前縁部のような簡素な組立体を組み立てるための治具としては余りに大掛かりとなり、その製作費がきわめて大きくなるという問題がある。
【０００６】
本発明の課題は、複数の類似形状の組立体を組み立てる際に有効に利用することができ、治具製作費を格段に低減させることができる組立治具と、この組立治具を用いた翼前縁部組立方法と、を提供することである。
【課題を解決するための手段】
【０００７】
以上の課題を解決するために、請求項１に記載の発明は、湾曲した外板を複数のリブで補強してなる組立体を組み立てるための組立治具において、所定の軸方向に直線状に延在する基台と、前記基台上に前記軸方向に沿って複数配置されて前記各リブを保持するリブ保持部と、前記リブ保持部に前記リブを位置決めして固定する位置決め固定手段と、を備え、前記各リブ保持部は、前記軸方向に沿って移動するように前記基台に取り付けられた架台と、前記軸方向に対して直角に配置され上下方向に移動するように前記架台に取り付けられた複数の面板と、前記面板の面に沿って移動自在とされるとともに前記面板に固定された複数の連結部材と、を有することを特徴とする。
【０００８】
請求項１に記載の発明によれば、組立治具は、所定の軸方向に直線状に延在する基台と、この基台上に軸方向に沿って複数配置されてリブを保持するリブ保持部と、を備えている。そして、各リブ保持部は、軸方向（基台の延在方向）に沿って移動する架台と、上下方向に移動するように架台に取り付けられた面板と、面板の面に沿って移動自在とされるるとともに面板に固定された連結部材と、を有している。従って、各リブ保持部において、組立予定の組立体（例えば翼前縁部）の形状に対応するように架台の軸方向位置と面板の上下方向位置と連結部材の移動量とを自在に調整することができる。
【０００９】
また、リブ保持部に対するリブの位置決め及び固定を行うための位置決め固定手段を備えるので、前記したように調整したリブ保持部にリブを位置決めした状態で固定することができる。そして、このように固定された各リブに外板を固定することにより組立体を組み立てることができる。この結果、一台の簡易な構成を有する組立治具で、複数の類似形状の組立体を組み立てることができるので、治具製作費を格段に低減させることができる。また、治具の保管スペースを格段に低減させることができる。
【００１０】
請求項２に記載の発明は、請求項１に記載の組立治具において、前記位置決め固定手段は、前記軸方向に平行でかつ上下に広がる基準面から所定寸法離隔した位置に配置されるように前記各面板に穿設されたリブ位置決め孔と、前記リブの固定を行うために前記連結部材に穿設されたリブ固定孔と、前記リブ位置決め孔と前記リブに穿設された位置決め用の孔とに挿入されることにより前記リブの位置決めを行うリブ位置決めピンと、前記リブ固定孔と前記リブに穿設された固定用の孔とに挿入されることにより前記リブの固定を行うリブ固定ピンと、を有することを特徴とする。
【００１１】
請求項２に記載の発明によれば、リブ保持部の面板に穿設されたリブ位置決め孔と、リブに設けられた位置決め用の孔と、を重ねてリブ位置決めピンを挿入することにより、面板に対するリブの位置決めを行うことができる。さらに、リブ保持部の連結部材を適切な長さだけ移動させて延出させ、この連結部材に穿設されたリブ固定孔と、リブに設けられた固定用の孔と、を重ねてリブ固定ピンを挿入することにより、リブを適切な姿勢で固定することができる。
【００１２】
請求項３に記載の発明は、請求項２に記載の組立治具を用いて、外板と複数のリブとを有する翼前縁部を組み立てる方法であって、前記各リブに、前記リブ位置決めピンが挿入される位置決め用の孔と、前記リブ固定ピンが挿入される固定用の孔と、を穿設する孔穿設工程と、組立予定の翼前縁部の形状に合わせて、前記各リブ保持部において、前記架台の前記軸方向位置と前記面板の上下方向位置と前記連結部材の移動量とを調整するリブ保持部調整工程と、前記リブ保持部の前記面板上に前記リブを載置し、前記リブの前記位置決め用の孔と、前記面板の前記リブ位置決め孔と、を重ねて前記リブ位置決めピンを挿入することにより前記面板に対する前記リブの位置決めを行うリブ位置決め工程と、前記リブの前記固定用の孔と、前記連結部材の前記リブ固定孔と、を重ねて前記リブ固定ピンを挿入することにより前記リブの固定を行うリブ固定工程と、前記リブ保持部に固定された前記各リブに前記外板を固定することにより前記翼前縁部を組み立てる組立工程と、を備えることを特徴とする。
【００１３】
請求項３に記載の発明によれば、まず、各リブに位置決め用の孔と固定用の孔とを穿設するとともに、組立予定の翼前縁部の形状に合わせて、各リブ保持部において、架台の軸方向位置と面板の上下方向位置と連結部材の移動量とを調整する。次いで、リブ保持部の面板上にリブを載置し、リブの位置決め用の孔と、面板のリブ位置決め孔と、を重ねてリブ位置決めピンを挿入することにより、面板に対するリブの位置決めを行う。次いで、リブの固定用の孔と、連結部材のリブ固定孔と、を重ねてリブ固定ピンを挿入することにより、リブの固定を行う。続いて、リブ保持部に固定された各リブに外板を固定することにより翼前縁部を組み立てる。
【００１４】
すなわち、各リブ保持部において、組立予定の翼前縁部の形状に対応するように架台の位置と面板の位置と連結部材の移動量とを調整し、このように調整を施した各リブ保持部に対してリブを位置決めして固定する。そして、このように固定された各リブに外板を固定することにより翼前縁部を組み立てる。従って、一台の簡易な構成を有する組立治具で、複数の類似形状の翼前縁部を組み立てることができる。
【００１５】
請求項４に記載の発明は、請求項３に記載の翼前縁部組立方法において、前記孔穿設工程で前記各リブに穿設される前記位置決め用の孔を、前記各リブに共通の仮想基準面から一定寸法離隔した位置に配置することを特徴とする。
【００１６】
請求項４に記載の発明によれば、孔穿設工程で各リブに穿設される位置決め用の孔を、各リブに共通の仮想基準面から一定寸法離隔した位置に配置する。従って、各面板に穿設されるリブ位置決め孔の位置を統一することができ、面板の数を減らすことができる。また、各リブに共通の仮想基準面と、前記した基準面（前記軸方向に平行でかつ上下に広がる基準面）と、を一致させて、面板に穿設されたリブ位置決孔と、リブに穿設された位置決め用の孔と、を重ねてピンを挿入することにより、面板に対するリブの位置決めを容易かつ正確に行うことができる。
【発明の効果】
【００１７】
本発明によれば、組立治具の各リブ保持部は、所定の軸方向（基台の延在方向）に沿って移動する架台と、上下方向に移動するように架台に取り付けられた面板と、この面板の面に沿って移動するように面板に取り付けられリブに連結される連結部材と、を有するので、架台の位置と面板の位置と連結部材の位置とを自在に調整することができ、このように調整を施した各リブ保持部に対してリブを位置決めして固定することができる。そして、各リブに外板を固定することにより、翼前縁部を組み立てることができる。この結果、一台の簡易な構成を有する組立治具で、複数の類似形状の翼前縁部を組み立てることができるので、治具製作費を格段に低減させることができる。
【発明を実施するための最良の形態】
【００１８】
以下、本発明の実施の形態を、図を用いて詳細に説明する。なお、本実施の形態に係る翼前縁部組立治具１は、図１に示すように、湾曲した外板Ｓと複数のリブＲとを有する航空機の垂直尾翼前縁部を組み立てるためのものである。
【００１９】
まず、本実施の形態に係る翼前縁部組立治具１の構成について説明する。
【００２０】
翼前縁部組立治具１は、図１に示すように、所定の軸方向（図１のＸ軸方向）に直線状に延在するように構成された基台１０、この基台１０上にＸ軸方向に沿って複数配置され外板Ｓを複数箇所で保持する第１ロケータ２０、基台１０上にＸ軸方向に沿って複数配置され各リブＲを保持する第２ロケータ３０、等を備えて構成されている。
【００２１】
基台１０は、図１及び図２に示すように、矩形断面を有する長尺柱状部１１と、この長尺柱状部１１を支持する複数の脚部１２と、を備えている。基台１０の長尺柱状部１１の上面にはレール１１ａが設けられており、第１ロケータ２０及び第２ロケータ３０のローラをこのレール１１ａに嵌合させることにより、第１ロケータ２０及び第２ロケータ３０をＸ軸方向に移動自在とすることができる。基台１０の脚部１２は、図１に示すように、長尺柱状部１１の長さ方向両端部と、長さ方向略中央部と、の３箇所に取り付けられている。そして、各脚部１２の下部には、高さや傾きを調整する調整具１２ａが設けられている。
【００２２】
第１ロケータ２０は、図１に示すように、基台１０の長尺柱状部１１上にＸ軸方向に沿って所定の間隔をおいて４個配置されており、外板Ｓを４箇所で保持するものである。第１ロケータ２０は、基台１０の長尺柱状部１１の上面に設けられたレール１１ａに嵌合されて回転する（図示されていない）ローラを有しており、Ｘ軸方向に沿って移動するように構成されている。
【００２３】
第２ロケータ３０は、図１に示すように、基台１０の長尺柱状部１１上にＸ軸方向に沿って所定の間隔をおいて７個配置されており、各リブＲを保持するものである。すなわち、第２ロケータ３０は、本発明におけるリブ支持部である。第２ロケータ３０は、基台１０の長尺柱状部１１の上面に設けられたレール１１ａに嵌合されて回転するローラ３１ａ（図２参照）を有しており、図１のＸ軸方向に沿って移動するように構成されている。
【００２４】
また、第２ロケータ３０は、図２に示すように、Ｘ軸方向に沿って移動するように基台１０の長尺柱状部１１に取り付けられた架台３１、Ｘ軸方向に対して直角な平面内（ＹＺ平面内）に配置されるとともに上下方向（Ｚ軸方向）に延在する仮想中心線Ｃを中心に略左右対称の形状を呈しかつ上下方向に移動するように架台３１に取り付けられた面板３２、この面板３２の面上を移動するように面板３２に取り付けられた複数のアーム３３、等を有している。なお、本実施の形態における仮想中心線Ｃは、Ｘ軸方向に平行で上下に広がるＸＺ平面（本発明における基準面）内に設けられている。
【００２５】
架台３１は、図２（ａ）〜（ｃ）に示すように、ＸＹ平面内に配置され下面にローラ３１ａを有する水平板３１ｂと、水平板３１ｂに立設された垂直板３１ｃと、垂直板３１ｃを補強する補強板３１ｄと、垂直板３１ｃの一方の面に設けられた凸状案内部３１ｅと、面板３２の上下方向（Ｚ軸方向）の位置決めを行うための上下位置決め孔３１ｆと、を備えている。
【００２６】
面板３２は、図２（ａ）〜（ｃ）に示すように、リブＲの位置決めのために穿設されたリブ位置決め孔３２ａと、架台３１の凸状案内部３１ｅを嵌め込む凹状案内部３２ｂと、面板３２の上下方向の位置決めを行うために穿設された上下位置決め孔３２ｃと、アーム３３を支持するための（図示されていない）雌ネジと、アーム３３の位置決めを行うために穿設されたアーム位置決め孔３２ｄと、を備えている。
【００２７】
面板３２のリブ位置決め孔３２ａと、リブＲの位置決め用の孔Ｒ1（図５参照）と、を重ね合わせ、図２（ｄ）に示すようなピン４０を、これらリブ位置決め孔３２ａ及び位置決め用の孔Ｒ1に挿入することにより、リブＲの位置決めを行うことができる。すなわち、ピン４０は、本発明におけるリブ位置決めピンである。
【００２８】
なお、本実施の形態においては、第２ロケータ３０の面板３２に２つのリブ位置決め孔３２ａを穿設している。そして、面板３２の仮想中心線Ｃから一方のリブ位置決め孔３２ａまでの距離をｈ1（一定値）に設定するとともに、面板３２の仮想中心線Ｃから他方のリブ位置決め孔３２ａまでの距離をｈ2（一定値）に設定している。本実施の形態においてはこのようにリブ位置決め孔３２ａを２つ穿設しているが、リブＲの位置決めの際に不都合が生じなければ、リブ位置決め孔３２ａを１つ穿設するだけでもよい。
【００２９】
また、架台３１の凸状案内部３１ｅに面板３２の凹状案内部３２ｂが嵌め込まれることにより、面板３２の左右方向（Ｙ軸方向）の位置が決定され、かつ、面板３２が架台３１に対して上下方向（Ｚ軸方向）に移動自在とされる（図２（ｂ）参照）。そして、架台３１の上下位置決め孔３１ｆと、面板３２の上下位置決め孔３２ｃと、を重ね合わせ、図２（ｄ）に示すような位置決め用のピン５０をこれら上下位置決め孔３１ｆ、３２ｃに挿入することにより、面板３２の上下方向の位置決めを行うことができる（図２（ａ）、（ｃ）参照）。
【００３０】
アーム３３は、厚さ一定で一方向に長い長尺板であり、本発明における連結部材である。アーム３３は、図２（ａ）に示すように左右一組にされて計５組（１０本）設けられている。各アーム３３の長さ方向中間部には、長さ方向に延びる長尺溝３３ａが設けられている。この長尺溝３３ａには、溝幅に略同一の外形を有するピンボルト６０が挿入されており、このピンボルト６０が面板３２の（図示されていない）雌ネジに螺入されることにより、各アーム３３が面板３２に取り付けられている。このようにアーム３３がピンボルト６０を介して面板３２に取り付けられているので、ピンボルト６０を支点としたアーム３３の回動が可能となるとともに、長尺溝３３ａに沿ったアーム３３のスライド移動が可能となる。
【００３１】
また、アーム３３の一方の端部には、アーム３３の位置決めを行うためのアーム位置決め孔３３ｂが穿設されている。面板３２のアーム位置決め孔３２ｄと、アーム３３のアーム位置決め孔３３ｂと、を重ね合わせ、図２（ｄ）に示すような位置決め用のピン５０をこれら双方のアーム位置決め孔３２ｄ、３３ｂに挿入することにより、面板３２に対するアーム３３の位置決めを行うことができる（図２（ａ）参照）。
【００３２】
また、アーム３３の他方の端部には、リブＲの回転を阻止して固定するためのリブ固定孔３３ｃが穿設されている。アーム３３のリブ固定孔３３ｃと、リブＲの固定用の孔Ｒ2（図５参照）と、を重ね合わせ、図２（ｄ）に示すようなピン４０を、これらリブ固定孔３３ｃ及び固定用の孔Ｒ2に挿入することにより、リブＲの固定を行うことができる。すなわち、ピン４０は本発明におけるリブ固定ピンである。
【００３３】
なお、面板３２に穿設されたリブ位置決め孔３２ａと、アーム３３に穿設されたリブ固定孔３３ｃと、リブ位置決めピン及びリブ固定ピンとして機能するピン４０と、によって本発明における位置決め固定手段が構成される。
【００３４】
また、本実施の形態においては、ピン４０の挿入部４１の直径と、ピン５０の挿入部５１の直径と、に差を設けることにより、両者を区別することとしている。そして、ピン４０が挿入される孔群（面板３２のリブ位置決め孔３２ａ、アーム３３のリブ固定孔３３ｃ、リブＲの位置決め用の孔Ｒ1、固定用の孔Ｒ2）の直径は、ピン４０の挿入部４１の直径と略同一の値に設定される。また、ピン５０が挿入される孔群（架台３１の上下位置決め孔３１ｆ、面板３２の上下位置決め孔３２ｃ、面板３２のアーム位置決め孔３２ｄ、アーム３３のアーム位置決め孔３３ｂ）の直径は、ピン５０の挿入部５１の直径と略同一の値に設定される。
【００３５】
次に、本実施の形態に係る翼前縁部組立治具１を用いて、航空機の垂直尾翼前縁部を組み立てる方法（翼前縁部組立方法）について説明する。
【００３６】
まず、垂直尾翼前縁部を構成する各リブＲに、位置決め用の孔Ｒ1と、固定用の孔Ｒ2と、を穿設する（孔穿設工程）。
【００３７】
本実施の形態においては、大きさの異なる類似形状を有する複数のリブＲに１つ又は２つの位置決め用の孔Ｒ1を穿設している。そして、図５に示すように、各リブＲの仮想中心線ＣRから一方の位置決め用の孔Ｒ1までの距離をｈ1（一定値）に設定するとともに、各リブＲの仮想中心線ＣRから他方の位置決め用の孔Ｒ1までの距離をｈ2（一定値）に設定している。
【００３８】
また、本実施の形態においては、各リブＲの仮想中心線ＣRを中心として左右対称の位置に固定用の孔Ｒ2を穿設しており、リブＲの大きさや機種による形状の違いに対応させて各アーム３３の取り付けを容易にするために、図５に示すように固定用の孔Ｒ2の位置を分散させるようにしている。なお、本発明における仮想基準面は、各リブＲの仮想中心線ＣRを含み各リブＲに垂直な平面である。
【００３９】
次いで、第２ロケータ３０の各々において、組立予定の垂直尾翼前縁部の形状に合わせて、架台３１のＸ軸方向位置と、面板３２の上下方向位置と、アーム３３の移動量と、を調整する（第２ロケータ調整工程）。なお、第２ロケータ調整工程は、本発明におけるリブ保持部調整工程である。
【００４０】
例えば、垂直尾翼前縁部の長さ方向（スパン方向）の形状に合わせて、図２に示した状態から面板３２を下方に移動させて固定するとともに、比較的小型のリブＲの形状に合わせて、下方から２番目に配置された左右一組のアーム３３を左右外側に移動させて固定する（図３参照）。また、面板３２を図３の状態からさらに下方に移動させて固定することもできる（図４参照）。
【００４１】
次いで、各第２ロケータ３０の面板３２上にリブＲを載置し、リブＲの位置決め用の孔Ｒ1と、面板３２のリブ位置決め孔３２ａと、を重ねてピン４０を挿入することにより、面板３２に対するリブＲの位置決めを行う（リブ位置決工程）。
【００４２】
例えば、図２及び図３に示したリブＲには、仮想中心線ＣRからｈ2だけ離れた位置に位置決め用の孔Ｒ1が穿設されているため、この位置決め用の孔Ｒ1と、面板３２の仮想中心線Ｃからｈ2だけ離れた位置に穿設されたリブ位置決め孔３２ａと、を重ねてピン４０を挿入することにより、面板３２に対するリブＲの位置決めを行う。
【００４３】
また、図４に示したリブＲには、仮想中心線ＣRからｈ1だけ離れた位置に位置決め用の孔Ｒ1が穿設されているため、この位置決め用の孔Ｒ1と、面板３２の仮想中心線Ｃからｈ1だけ離れた位置に穿設されたリブ位置決め孔３２ａと、を重ねてピン４０を挿入することにより、面板３２に対するリブＲの位置決めを行う。
【００４４】
なお、図２（ａ）、図２（ｂ）、図３及び図４においては、ピン４０を図示せずに面板３２のリブ位置決め孔３２ａにリブＲの位置決め用の孔Ｒ1を重ねた状態を示している。
【００４５】
次いで、リブＲの固定用の孔Ｒ2と、アーム３３のリブ固定孔３３ｃと、を重ねてピン４０を挿入することにより、リブＲの固定を行う（リブ固定工程）。なお、図２（ａ）、図２（ｂ）、図３及び図４においては、ピン４０を図示せずにアーム３３のリブ固定孔３３ｃにリブＲの固定用の孔Ｒ2を重ねた状態を示している。
【００４６】
この後、第１ロケータ２０上に外板Ｓを載置し、第２ロケータ３０に固定された各リブＲにリベット等を用いて外板Ｓを固定することにより、垂直尾翼前縁部を組み立てる（組立工程）。
【００４７】
以上説明した実施の形態に係る翼前縁部組立治具１は、所定の軸方向（図１のＸ軸方向）に略直線状に延在するように構成された基台１０と、この基台１０上にＸ軸方向に沿って複数配置されて外板Ｓ及びリブＲを保持する第１ロケータ２０及び第２ロケータ３０と、を備えている。そして、第２ロケータ３０は、Ｘ軸方向（基台１０の延在方向）に沿って移動する架台３１と、上下方向に移動するように架台３１に取り付けられた面板３２と、略左右方向に移動するように面板３２に取り付けられたアーム３３と、を有している。従って、各第２ロケータ３０において、組立予定の垂直尾翼前縁部の形状に対応するように架台３１のＸ軸方向位置と、面板３２の上下方向位置と、アーム３３の略左右方向位置と、を自在に調整することができる。
【００４８】
また、第２ロケータ３０の面板３２は、リブＲの位置決めを行うために穿設されたリブ位置決め孔３２ａを有しているので、このリブ位置決め孔３２ａと、リブＲに穿設された位置決め用の孔Ｒ1と、を重ねてピン４０を挿入することにより、面板３２に対するリブＲの位置決めを行うことができる。さらに、第２ロケータ３０のアーム３３は、リブＲの固定を行うために穿設されたリブ固定孔３３ｃを有しているので、このリブ固定孔３３ｃと、リブＲに穿設された固定用の孔Ｒ2と、を重ねてピン４０を挿入することにより、リブＲの固定を行うことができる。
【００４９】
そして、このように固定された各リブＲに、第１ロケータ２０によって保持させた外板Ｓを固定することにより、垂直尾翼前縁部を組み立てることができる。この結果、一台の簡易な構成を有する翼前縁部組立治具１で、複数の類似形状の垂直尾翼前縁部を組み立てることができるので、治具製作費を格段に低減させることができる。また、治具の保管スペースを格段に低減させることができる。
【００５０】
また、以上説明した実施の形態に係る翼前縁部組立治具１を用いた翼前縁部組立方法においては、各第２ロケータ３０の面板３２の仮想中心線Ｃからリブ位置決め孔３２ａまでの距離を一定寸法（ｈ1又はｈ2）に設定するとともに、各リブＲの仮想中心線ＣRから位置決め用の孔Ｒ1までの距離を一定寸法（ｈ1又はｈ2）に設定する。このため、第２ロケータ３０の面板３２に穿設されたリブ位置決め孔３２ａと、リブＲに穿設された位置決め用の孔Ｒ1と、を重ねてピン４０を挿入することにより、第２ロケータ３０の仮想中心線Ｃと、リブＲの仮想中心線ＣRと、をほぼ一致させることができる。すなわち、リブＲの位置決め（センタリング）を容易かつ正確に行うことができる。
【００５１】
なお、以上の実施の形態においては、図２（ｄ）に示すような略Ｌ字状のピン４０、５０を用いて面板３２、アーム３３及びリブＲの位置決めや固定を行った例を示したが、このようなピン４０、５０の形状は特に限定されるものではない。
【００５２】
また、以上の実施の形態においては、第２ロケータ３０に対してリブＲを位置決めして固定する位置決め固定手段として、面板３２に穿設されたリブ位置決め孔３２ａと、アーム３３に穿設されたリブ固定孔３３ｃと、ピン４０と、を採用した例を示したが、位置決め固定手段はこれに限定されるものではない。すなわち、第２ロケータ３０に対してリブＲを位置決めして固定することができるものであればいかなる構成を採用することもできる。
【００５３】
なお、以上の実施の形態においては、「垂直尾翼前縁部」を組み立てるための組立治具に本発明を適用した例を示したが、水平尾翼や主翼の前縁部を組み立てるための組立治具に本発明を適用することもできる。
【図面の簡単な説明】
【００５４】
【図１】本発明の実施の形態に係る翼前縁部組立治具の斜視図である。
【図２】（ａ）は図１に示した翼前縁部組立治具の基台上に設けられた第２ロケータの正面図（Ａ−Ａ部分の矢視図）であり、（ｂ）は（ａ）のＢ−Ｂ部分の断面図であり、（ｃ）は（ａ）に示した第２ロケータの側面図であり、（ｄ）はリブの位置決めや固定に用いられるピンを示す図である。
【図３】（ａ）は、図２に示した第２ロケータの面板及びアームを移動させた状態を示す正面図であり、（ｂ）は、（ａ）に示した第２ロケータの側面図である。
【図４】同上
【図５】各リブに穿設される位置決め用の孔及び固定用の孔を説明するための説明図である。
【符号の説明】
【００５５】
１      翼前縁部組立治具（組立治具）
１０      基台
３０      第２ロケータ（リブ保持部）
３１      架台
３２      面板
３２ａ    リブ位置決め孔（位置決め固定手段）
３３      アーム（連結部材）
３３ｃ    リブ固定孔（位置決め固定手段）
４０      ピン（位置決め固定手段、リブ位置決めピン、リブ固定ピン）
Ｓ      外板
Ｒ      リブ
【図１】
2005153094.tif 000003
【図２】
2005153094.tif 000004
【図３】
2005153094.tif 000005
【図４】
2005153094.tif 000006
【図５】
2005153094.tif 000007